(57)【要約】【課題】本発明は、簡易消去により消去された書換型光ディスクに情報を記録するときであっても記録品質のよい記録が可能な光ディスク装置及びその記録方法を提供することを目的とする。【解決手段】記録媒体の所定の記録領域に記録データを上書きする記録手段と、所定の記録領域が管理情報のみを消去した簡易消去を行った記録領域か否か判断し、簡易消去を行った記録領域の場合前記所定の記録領域に記録データの上書きを行った後所定の記録領域から記録データを再生し、記録データと再生データとを比較し、エラーがある場合所定の記録領域の記録データを完全に消去し再度所定の記録領域に同一の記録データを記録する構成とした。【選択図】図１
2008112488.tif 000002
【特許請求の範囲】
【請求項１】
記録媒体の所定の記録領域に記録データを上書きする記録手段と、
前記所定の記録領域が管理情報のみを消去した簡易消去を行った記録領域か否か判断し、簡易消去を行った記録領域の場合前記所定の記録領域に記録データの上書きを行った後前記所定の記録領域から前記記録データを再生し、前記記録データと前記再生データとを比較し、エラーがある場合前記所定の記録領域の記録データを完全に消去し、再度前記所定の記録領域に同一の記録データを記録させる制御手段と、
を具備する光ディスク装置。
【請求項２】
前記制御手段は、前記記録データと前記再生データとを比較し、両者が一致しない場合、エラーがあると判断することを特徴とする請求項１記載の光ディスク装置。
【請求項３】
前記制御手段は、前記記録データと前記再生データとを比較し、エラー量が所定以上の場合、エラーがあると判断することを特徴とする請求項１記載の光ディスク装置。
【請求項４】
前記制御手段は、前記所定の記録領域が管理情報のみを消去した簡易消去を行った記録領域か否か判断し、簡易消去を行った記録領域でないと判断した場合、前記所定の記録領域に記録データの上書きを行い、前記所定の記録領域から前記記録データを再生することなく、記録データの記録を終了させることを特徴とする請求項１記載の光ディスク装置。
【請求項５】
前記制御手段は、前記記録データと前記再生データとを比較し、エラーがないと判断した場合、前記所定の記録領域の記録データを完全に消去することなく、前記記録データの記録を終了させることを特徴とする請求項１記載の光ディスク装置。
【請求項６】
前記制御手段は、前記光ディスクが複数の記録層を有する多層光ディスクであり、前記所定の記録領域が前記光ディスクの上位層に記録するとき簡易消去を行った記録領域か否かを判断することを特徴とする請求項１記載の光ディスク装置。
【請求項７】
記録媒体の所定の記録領域に記録データを上書きするとき、前記所定の記録領域が管理情報のみを消去した簡易消去を行った記録領域か否か判断し、簡易消去を行った記録領域の場合前記所定の記録領域に記録データの上書きを行った後前記所定の記録領域から前記記録データを再生し、前記記録データと前記再生データとを比較し、エラーがある場合前記所定の記録領域の記録データを完全に消去し、再度前記所定の記録領域に同一の記録データを記録させることを特徴とする光ディスク装置の記録方法。
【請求項８】
前記記録データと前記再生データとの比較した結果、両者が一致しない場合、エラーがあると判断することを特徴とする請求項７記載の光ディスク装置の記録方法。
【請求項９】
前記記録データと前記再生データとの比較した結果、エラー量が所定以上の場合、エラーがあると判断することを特徴とする請求項７記載の光ディスク装置の記録方法。
【請求項１０】
前記所定の記録領域が管理情報のみを消去した簡易消去を行った記録領域でないとき、前記所定の記録領域に記録データの上書きを行い、前記所定の記録領域から前記記録データを再生することなく、記録データの記録を終了させることを特徴とする請求項７記載の光ディスク装置の記録方法。
【請求項１１】
前記記録データと前記再生データとを比較し、エラーがないと判断した場合、前記所定の記録領域の記録データを完全に消去することなく、前記記録データの記録を終了させることを特徴とする請求項７記載の光ディスク装置の記録方法。
【請求項１２】
前記光ディスクが複数の記録層を有する多層光ディスクであり、前記所定の記録領域が前記光ディスクの上位層の簡易消去を行った記録領域に記録するとき、簡易消去を行った記録領域の場合前記所定の記録領域に記録データの上書きを行った後前記所定の記録領域から前記記録データを再生し、前記記録データと前記再生データとを比較し、エラーがある場合前記所定の記録領域の記録データを完全に消去し、再度前記所定の記録領域に同一の記録データを記録させることを特徴とする請求項７記載の光ディスク装置の記録方法。
【発明の詳細な説明】
【技術分野】
【０００１】
本発明は光ディスクに記録可能が可能な光ディスク装置に関し、特に書換型光ディスクに記録を行う光ディスク装置及びその記録方法に関するものである。
【背景技術】
【０００２】
近年、パーソナルコンピュータの外部記録装置として、ユーザが任意にデータの書換ができる光ディスクが普及してきており、また単層の記録層を有する書換型光ディスクから多層の記録層を持つ書換型光ディスクも使用されている。
【０００３】
この書換型光ディスクは、新たなディスクに記録するだけでなく一度記録した光ディスクに再度記録できるものである。
【０００４】
書換型の光ディスクにデータを再度記録を行うには、オーバーライト方式（上書方式）でデータを記録している。このオーバーライト方式は、新たに記録するデータを記録しようとしている領域に、すでに記録されたデータの消去とデータの記録を同時に行う方式である。
【０００５】
従来、記録可能な光ディスクにデータを記録するには、ＯＰＣ（Ｏｐｔｉｍｕｍ  Ｐｏｗｅｒ  Ｃｏｎｔｒｏｌ）を記録前に光ディスクの内周または外周に備えた試書き領域で試書きを行ったあと試書きで最適化した記録パワー条件を基に光ディスクに所望のデータを記録していた。光ディスクに記録したデータの記録品質などの確認を行うことはしていなかった。
【０００６】
光ディスクへのデータの記録では、記録した情報には誤り訂正符合を付加させており、再生のときはこの誤り訂正符合を用いて復号をしていた。
【０００７】
図８は、従来の光ディスクにおける記録動作のフローチャートである。
【０００８】
図８において、記録処理が開始されると（Ｓ８０１）、光ディスクの試書き領域でＯＰＣと呼ぶ最適記録パワーを求め（Ｓ８０２）、最適パワーか否かを判断し（Ｓ８０３）、最適パワー出なければパワーの設定値を変更し（Ｓ８０４）、（Ｓ８０２）に戻り最適パワーを求める。最適パワーが求まると、データの記録をし（Ｓ８０５）、記録が終了したかどうか判断し（Ｓ８０６）、記録が終了していなければ、ランニングＯＰＣをし（Ｓ８０７）、次のデータを取得し（Ｓ８０８）、（Ｓ８０５）に戻り記録を続ける。記録が終了したと判断すれば（Ｓ８０６）、記録動作を終了する（Ｓ８０９）。
【０００９】
また、従来の技術としてＭＯドライブなどの光学的記録再生装置においては、前述の書換型光ディスク装置とは異なりライトリトライ機能などを備えて、記録した情報の記録品質を確保していた（たとえば先行文献１）。この構成では、媒体への記録は、消去、記録、ベリファイの順に実行していた。
【００１０】
一度記録された光ディスク再利用するのに以前のデータを消去して使用するが、光ディスクの記録されたデータを消去する方法としては、光ディスクにおける全面消去する方法と、管理領域のみを消去する簡易消去方法とがあった（先行文献２）。
【特許文献１】特開２００６−１６４４６５号公報
【特許文献２】特開２００５−１２２８４９号公報
【発明の開示】
【発明が解決しようとする課題】
【００１１】
一度記録した光ディスクを全面消去して使用すれば、もとの新しい光ディスクと同様の記録設定条件で再度記録することができるが、処理時間を短縮するために管理領域のみを消去する簡易消去を行うが、簡易消去を行った光ディスクでは、以前の記録データが残ったままのデータ領域に上書きすることになり、記録条件の設定によっては、記録品質が悪くなることがあった。特に複数層の光ディスクのレーザ光源より離れた上位側の記録面に記録するときには、記録品質が確保が課題であった。
【００１２】
また、（先行文献１）に開示されたＭＯドライブの構成ように、ベリファイをして記録品質を確認すれば記録品質は良化するが、記録時間が倍増することになりユーザの満足する高速記録または高記録品質の両立は難しくどちらを優先するかは、ユーザの選択によらなければならない課題があった。
【００１３】
本発明は、データ領域を簡易消去により消去された書換型光ディスクに情報を記録するときに記録品質のよい記録が可能な光ディスク装置及びその記録方法を提供することを目的とする。
【課題を解決するための手段】
【００１４】
かかる問題を解決するため、本発明は、記録媒体の所定の記録領域に記録データを上書きする記録手段と、前記所定の記録領域が管理情報のみを消去した簡易消去を行った記録領域か否か判断し、簡易消去を行った記録領域の場合前記所定の記録領域に記録データの上書きを行った後前記所定の記録領域から前記記録データを再生し、前記記録データと前記再生データとを比較し、エラーがある場合前記所定の記録領域の記録データを完全に消去し、再度前記所定の記録領域に同一の記録データを記録させる制御手段と、を具備するものである
【発明の効果】
【００１５】
本発明の光ディスク装置は、簡易消去を行った光ディスクのデータ記録領域に記録データの上書きを行った後、所定の記録領域から記録データを再生し記録データと再生データとを比較してエラーを判断することにより、エラーがある場合所定の記録領域の記録データを完全に消去し、再度前記所定の記録領域に同一の記録データを記録させることができるので記録品質のよい光ディスク装置及びその記録方法を提供できるようになる。
【発明を実施するための最良の形態】
【００１６】
請求項１記載の発明は、記録媒体の所定の記録領域に記録データを上書きする記録手段と、前記所定の記録領域が管理情報のみを消去した簡易消去を行った記録領域か否か判断し、簡易消去を行った記録領域の場合前記所定の記録領域に記録データの上書きを行った後前記所定の記録領域から前記記録データを再生し、前記記録データと前記再生データとを比較し、エラーがある場合前記所定の記録領域の記録データを完全に消去し、再度前記所定の記録領域に同一の記録データを記録させる制御手段と、を具備するものである。
【００１７】
この構成によれば、簡易消去を行った光ディスクのデータ記録領域に記録データの上書きを行った後、所定の記録領域から記録データを再生し記録データと再生データとを比較してエラーを判断することにより、エラーがある場合所定の記録領域の記録データを完全に消去し、再度前記所定の記録領域に同一の記録データを記録させることができるので記録品質のよい光ディスク装置を提供できるようになる。
【００１８】
請求項２記載の発明は、請求項１記載の発明において、制御手段は、記録データと再生データとを比較し、両者が一致しない場合、エラーがあると判断するものである。
【００１９】
この構成によれば、記録データと再生データとを比較して両者が一致しない場合、エラーがあると判断することにより、記録データの比較や記録データのチェックサムを比較して記録のエラーがあるかどうかを判別するので、エラーがある場合所定の記録領域の記録データを完全に消去し、再度前記所定の記録領域に同一の記録データを記録させることができるので記録品質のよい光ディスク装置を提供できるようになる。
【００２０】
請求項３記載の発明は、請求項１記載の発明において、制御手段は、記録データと再生データとを比較し、エラー量が所定以上の場合、エラーがあると判断するものである。
【００２１】
この構成によれば、記録データと再生データとを比較して両者のエラー量が所定以上の場合、エラーがあると判断することにより、記録データのエラーレートや記録データのＣＲＣを比較して記録のエラーがあるかどうかを判別するので、エラーがある場合所定の記録領域の記録データを完全に消去し、再度前記所定の記録領域に同一の記録データを記録させることができるので記録品質のよい光ディスク装置を提供できるようになる。
【００２２】
請求項４記載の発明は、請求項１記載の発明において、制御手段は、所定の記録領域が管理情報のみを消去した簡易消去を行った記録領域か否か判断し、簡易消去を行った記録領域でないと判断した場合、所定の記録領域に記録データの上書きを行い、所定の記録領域から記録データを再生することなく、記録データの記録を終了させるものである。
【００２３】
この構成によれば、所定の記録領域が管理情報のみを消去した簡易消去を行った記録領域でないと判断すると、所定の記録領域から記録データを再生することをしないことにより、記録したデータをチェックする時間が必要ないので、新らしいディスクに記録するときの記録条件を使用して記録できるので、記録品質もよくまた、高速に記録できる光ディスク装置を提供できるようになる。
【００２４】
請求項５記載の発明は、請求項１記載の発明において、制御手段は、記録データと再生データとを比較し、エラーがないと判断した場合、所定の記録領域の記録データを完全に消去することなく、記録データの記録を終了させるものである。
【００２５】
この構成によれば、記録データと再生データとを比較し、エラーがないと判断した場合、所定の記録領域の記録データを完全に消去することなく、記録データの記録を終了させることにより、記録データの完全消去をする必要ないので、新らしいディスクに記録するときの記録条件を使用して記録できるので、記録品質もよくまた、高速に記録できる光ディスク装置を提供できるようになる。
【００２６】
請求項６記載の発明は、請求項１記載の発明において、制御手段は、光ディスクが複数の記録層を有する多層光ディスクであり、所定の記録領域が光ディスクの上位層に記録するとき簡易消去を行った記録領域か否かを判断するものである。
【００２７】
この構成によれば、光ディスクが複数の記録層を有する多層光ディスクであり、所定の記録領域が光ディスクの上位層に記録するとき簡易消去を行った記録領域か否かを判断することにより、記録パワーの条件設定が変わりやすい複数の記録層を持つ光ディスクのレーザ側より離れた記録層に対して制御するので、記録品質変わりやすい記録層にたいして制御できるので、さらに記録品質もよくまた、高速に記録できる光ディスク装置を提供できるようになる。
【００２８】
請求項７記載の発明は、記録媒体の所定の記録領域に記録データを上書きするとき、所定の記録領域が管理情報のみを消去した簡易消去を行った記録領域か否か判断し、簡易消去を行った記録領域の場合所定の記録領域に記録データの上書きを行った後所定の記録領域から記録データを再生し、記録データと再生データとを比較し、エラーがある場合所定の記録領域の記録データを完全に消去し、再度前記所定の記録領域に同一の記録データを記録させることを特徴とする光ディスク装置の記録方法である。
【００２９】
この方法によれば、簡易消去を行った光ディスクのデータ記録領域に記録データの上書きを行った後、所定の記録領域から記録データを再生し記録データと再生データとを比較してエラーを判断することにより、エラーがある場合所定の記録領域の記録データを完全に消去し、再度前記所定の記録領域に同一の記録データを記録させることができるので記録品質のよい光ディスク装置を提供できるようになる。
【００３０】
請求項８記載の発明は、請求項７記載の発明において、前記記録データと前記再生データとの比較した結果、両者が一致しない場合、エラーがあると判断するものである。
【００３１】
この方法によれば、記録データと再生データとを比較して両者が一致しない場合、エラーがあると判断することにより、記録データの比較や記録データのチェックサムを比較して記録のエラーがあるかどうかを判別するので、エラーがある場合所定の記録領域の記録データを完全に消去し、再度前記所定の記録領域に同一の記録データを記録させることができるので記録品質のよい光ディスク装置を提供できるようになる。
【００３２】
請求項９記載の発明は、請求項７記載の発明において、記録データと再生データとの比較した結果、エラー量が所定以上の場合、エラーがあると判断するものである。
【００３３】
この方法によれば、記録データと再生データとを比較して両者のエラー量が所定以上の場合、エラーがあると判断することにより、記録データのエラーレートや記録データのＣＲＣを比較して記録のエラーがあるかどうかを判別するので、エラーがある場合所定の記録領域の記録データを完全に消去し、再度前記所定の記録領域に同一の記録データを記録させることができるので記録品質のよい光ディスク装置を提供できるようになる。
【００３４】
請求項１０記載の発明は、請求項７記載の発明において、所定の記録領域が管理情報のみを消去した簡易消去を行った記録領域でないとき、所定の記録領域に記録データの上書きを行い、所定の記録領域から記録データを再生することなく、記録データの記録を終了させるものである。
【００３５】
この方法によれば、所定の記録領域が管理情報のみを消去した簡易消去を行った記録領域でないと判断すると、所定の記録領域から記録データを再生することをしないことにより、記録したデータをチェックする時間が必要ないので、新らしいディスクに記録するときの記録条件を使用して記録できるので、記録品質もよくまた、高速に記録できる光ディスク装置を提供できるようになる。
【００３６】
請求項１１記載の発明は、請求項７記載の発明において、記録データと再生データとを比較し、エラーがないと判断した場合、所定の記録領域の記録データを完全に消去することなく、記録データの記録を終了させるものである。
【００３７】
この方法によれば、記録データと再生データとを比較し、エラーがないと判断した場合、所定の記録領域の記録データを完全に消去することなく、記録データの記録を終了させることにより、記録データの完全消去をする必要ないので、新らしいディスクに記録するときの記録条件を使用して記録できるので、記録品質もよくまた、高速に記録できる光ディスク装置を提供できるようになる。
【００３８】
請求項１２記載の発明は、請求項７記載の発明において、光ディスクが複数の記録層を有する多層光ディスクであり、所定の記録領域が前記光ディスクの上位層の簡易消去を行った記録領域に記録するとき、簡易消去を行った記録領域の場合前記所定の記録領域に記録データの上書きを行った後前記所定の記録領域から記録データを再生し、記録データと再生データとを比較し、エラーがある場合所定の記録領域の記録データを完全に消去し、再度所定の記録領域に同一の記録データを記録させるものである。
【００３９】
この方法によれば、光ディスクが複数の記録層を有する多層光ディスクであり、所定の記録領域が光ディスクの上位層に記録するとき簡易消去を行った記録領域か否かを判断することにより、記録パワーの条件設定が変わりやすい複数の記録層を持つ光ディスクのレーザ側より離れた記録層に対して制御するので、記録品質変わりやすい記録層に対して制御できるので、さらに記録品質もよくまた、高速に記録できる光ディスク装置を提供できるようになる。
【００４０】
以下、本発明を実施するための最良の形態について、図面を参照しながら説明する。
【００４１】
（実施の形態１）
図１は、本発明の実施の形態１に係わる光ディスク装置の斜視図、図２は本発明の実施の形態１における光ディスク装置の外観図で、筐体の天部を除去した図である。
【００４２】
光ディスク装置１には筐体２及びトレイ３があり、筐体２からトレイ３を引き出した状態を示している。
【００４３】
図１および図２において光ディスク装置１には筐体２及びトレイ３があり図１、図２は筐体２からトレイ３を引き出した状態を示している。
【００４４】
筐体２は天部２ａと底部２ｂから構成されている。トレイ３にはピックアップモジュール４が設けられている。ピックアップモジュール４には光学系を構成した光ピックアップ５と光ディスクを回転させるスピンドルモータ４ａ及び制御回路を構成する回路基板４ｃが構成されている。
【００４５】
ピックアップモジュール４に設けられた光ピックアップ５はスピンドルモータ４ａに対して近づいたり離れたりし、即ち光ディスクの半径方向に移動する。スピンドルモータ４ａには光ディスク装着部４ｂがあり、光ディスクを装着し回転駆動させる。トレイ３の両側部にはレール部６があり、両側部共にレール７と光ディスク引き出し方向に摺動自在に嵌合している。また、レール７は筐体２両側部内面に設けられたレールガイド８とも光ディスク引き出し方向に摺動自在に嵌合しており、トレイ３は筐体２に対し挿抜自在である。トレイ３は筐体２から所定の長さだけ引き出されると筐体２に対して係止する。このときトレイ３に設けられた光ディスク装着部４ｂに光ディスクを装着もしくは取り外すことが可能である。トレイ３には押出部１２が設けられており、排出（イジェクト）動作時に押出部１２が筐体２を押すことにより、トレイ３は筐体２から飛び出す。
【００４６】
光ディスク装置１は、光ディスクがＣＤ−ＲＯＭ、ＣＤ−Ｒ／ＲＷの高速タイプもしくはＤＶＤ等に対応しており、データ転送速度が速いもので、２０Ｍｂｐｓ以上のデータ転送速度を有するものである。
【００４７】
筐体２の底部２ｂには制御回路を備える回路基板９が設けられており、トレイ３には制御回路を備える回路基板４ｃが設けられている。回路基板９と回路基板４ｃとは、フレキシブルプリント基板（ＦＰＣとも呼ぶ）２２で接続されており、このＦＰＣ２２によって回路基板９と回路基板４ｃとの電気的導通が図られる。
【００４８】
電力系としては、スピンドルモータ４ａや、ピックアップモジュール４に設けられ光ピックアップ５を光ディスクの径方向に駆動するフィードモータ（図示せず）への電力供給及び光ピックアップ５に設けられた半導体レーザ（図示せず）への電力供給が有り、信号としては、光ディスクから読み取りまたは光ディスクに書き込むデータの信号や、スピンドルモータ４ａ、フィードモータ、半導体レーザを制御する信号がある。
【００４９】
図３は、本発明の実施の形態１に係わる光ディスク装置のブロック図である。
【００５０】
図３において、１１は光ディスク、１３はサーボモジュール、１４はＣＰＵ，１５は記録制御手段、１６はデータ比較手段、１７はエラー検出手段、１８はベリファイ手段、１９はディスク判別手段、２０は全消去手段、２１は記憶手段である。
【００５１】
サーボモジュール１３は、光ディスク１１の回転ならびに光ピックアップ５の駆動を行う。即ちスピンドルモータ４ａの回転や、光ディスク１１に対して光ピックアップ５を駆動し情報の記録や情報の再生を行う。
【００５２】
ＣＰＵ１４は、記録や再生の制御および演算処理などを行う中央演算処理装置であり、プログラムなどを格納する記憶手段２１、外部装置との記録データや再生データを一時保存するバッファ２２とも接続されている。
【００５３】
記録制御手段１５は、以下に述べる演算手段の結果をもとに光ディスク１１に対しての記録制御を行う。
【００５４】
データ比較手段１６は光ディスク１１にデータを記録する際に、光ディスク１１が書換型の光ディスクであり、簡易消去をされたデータ領域にデータを記録されたときに、バッファ手段２２に格納された記録データと、光ディスク１１に記録されたデータとの比較を行う。
【００５５】
エラー検出手段１７は、記録されたデータの復号したデータと、バッファ２２のデータをベリファイ手段１８にて比較した結果、所定量以上の差異があるとエラーと判定する。
【００５６】
また、記録されたデータのチェックサムを比較してもよい。
【００５７】
ディスク判別手段１９は、光ディスク１１の種類と、光ディスク１１が書換型光ディスクのときデータを記録する領域が管理情報のみを消去した簡易消去を行った記録領域か否かを判別する。
【００５８】
また、記録したデータのエラーレートを測定してもよい。
【００５９】
全消去手段２０は、ベリファイの結果ベリファイエラーがあったときに記録した領域を全消去（イレース処理）する。
【００６０】
図４は、本発明の実施の形態１に係わる光ディスクへ情報を記録する記録パルスパターンに関する説明図である。
【００６１】
図４において、図４（ａ）は光ディスクの記録層に形成された記録マークと記録スペース、図４（ｂ）は記録マークと記録スペースに対応する記録信号、図４（ｃ）は記録マークと記録スペースを形成する記録パルスパターン（ライトストラテジとも呼ぶ）である。
【００６２】
記録信号は光ディスクへ記録するための記録マークと記録スペースの並びを示す矩形状のパルス列である。記録信号は、パルス幅が記録マーク長、一つのパルス後端から次のパルス前端までの間隔が記録スペース長である。
【００６３】
光ディスク装置１は、記録対象データに応じて図４（ａ）の記録マークと記録スペースを決定する。
【００６４】
図４（ａ）において、記録マークと記録スペースが、４Ｔの記録マークＭ１に続けて３Ｔの記録スペースＳ１、１１Ｔの記録マークＭ２、４ＴのスペースＳ２、３Ｔの記録マークＭ３の順に記録する一例で示している。
【００６５】
ここで、単位長１Ｔはクロック周期である。従って１１Ｔは、クロック周期の１１倍を表す。光ディスク１１に記録マークＭや記録スペースＳを記録するのに記録する際のレーザ光による熱がレーザ光の照射範囲を超えて拡散するため、実際に形成される記録マークＭが記録スペースＳの対応部分より長くなる。これを回避する目的で、図４（ｃ）で示すように所定の記録パターンに対応する記録パルスパターンに変換してこの記録パルスパターンで光ディスク１１に記録する。
【００６６】
図４（ｃ）に示すように、１１Ｔの記録パターンＰ２に対応する記録パルスは、フロントパルスＦＰとマルチパルスＭＰと、エンドパルスＥＰで形成する。
【００６７】
記録パルスパターンのパワーレベルは、０レベル、バイアスパワーレベル、消去パワーレベル、記録パワーレベルで構成されており、記録パルスパターンと記録パワーのレベルを所望に組合わせて、消去と記録を行う記録方法である。
【００６８】
図５は、本発明の実施の形態１に係わる記録動作のフローチャートである。
【００６９】
書換型光ディスク１１が光ディスク装置１に装着され記録動作が開始されると（Ｓ５０１）、光ディスクの試書き領域でＯＰＣと呼ぶ最適記録パワーを求め（Ｓ５０２）、最適パワーか否かを判断し（Ｓ５０３）、最適パワー出なければパワーの設定値を変更し（Ｓ５０４）、（Ｓ５０２）に戻り最適パワーを求める。
【００７０】
最適パワーが求まると、記録する位置を取得し（Ｓ５０５）、記録する位置が管理領域のみを消去した簡易消去した領域かどうかを判定し（Ｓ５０６）する。
【００７１】
簡易消去した領域に記録するときは、所定量のデータを記録し（Ｓ５０７）、記録したデータをベリファイ処理し（Ｓ５０８）、ベリファイエラーがあるかどうか判別し（Ｓ５０９）、ベリファイエラーがあれば、記録したデータ領域を消去処理を行い（Ｓ５１０）、同じデータを記録する（Ｓ５０７）。
【００７２】
ベリファイエラーがなければ、データ記録処理を終了するかどうか判別し（Ｓ５１１）、記録処理を終了するときは記録処理終了処理を行う（Ｓ５１８）。
【００７３】
記録処理を続けるときは、ランニングＯＰＣをし（Ｓ５１２）、次の記録データを取得し（Ｓ５１３）、（Ｓ５０７）に戻り処理を続ける。
【００７４】
記録する領域が簡易消去でなく全消去した領域であると判別すると（Ｓ５０６）、記録処理を行い（Ｓ５１４）、記録処理を終了するかどうか判別し（Ｓ５１５）、記録を終了するときは記録終了処理を行う（Ｓ５１８）。記録を続けるときは（Ｓ５１５）、ランニングＯＰＣを実施し（Ｓ５１６）、次の記録データを取得し（Ｓ５１７）、（Ｓ５１４）に戻り記録処理を続ける。
【００７５】
（実施の形態２）
図６は、本発明の実施の形態２に係わる記録動作のフローチャートである。
【００７６】
書換型光ディスク１１が光ディスク装置１に装着され記録動作が開始されると（Ｓ６０１）、光ディスクの試書き領域でＯＰＣと呼ぶ最適記録パワーを求め（Ｓ６０２）、最適パワーか否かを判断し（Ｓ６０３）、最適パワー出なければパワーの設定値を変更し（Ｓ６０４）、（Ｓ６０２）に戻り最適パワーを求める。
【００７７】
最適パワーが求まると、光ディスク１１の種別を判別し（Ｓ６０５）、光ディスク１１が、複数の記録層を有する多層光ディスクかどうか判別し（Ｓ６０６）、多層光ディスクと判別したら、記録する位置を取得し（Ｓ６０７）、記録する位置が管理領域のみを消去した簡易消去した領域かどうかを判定し（Ｓ６０８）する。
【００７８】
簡易消去した領域に記録するときは、所定量のデータを記録し（Ｓ６０９）、記録したデータをベリファイ処理し（Ｓ６１０）、ベリファイエラーがあるかどうか判別し（Ｓ６１１）、ベリファイエラーがあれば、記録したデータ領域の消去処理を行い（Ｓ６１２）、同じデータを記録する（Ｓ６０９）。
【００７９】
ベリファイエラーがなければ、データ記録処理を終了するかどうか判別し（Ｓ６１３）、記録処理を終了するときは記録処理終了処理を行う（Ｓ６２０）。
【００８０】
記録処理を続けるときは、ランニングＯＰＣをし（Ｓ６１４）、次の記録データを取得し（Ｓ６１５）、（Ｓ６０９）に戻り処理を続ける。
【００８１】
光ディスク１１が多層光ディスクでないかまたは記録する領域が簡易消去でなく全消去した領域であると判別すると（Ｓ６０８）、記録処理を行い（Ｓ６１６）、記録処理を終了するかどうか判別し（Ｓ６１７）、記録を終了するときは記録終了処理を行う（Ｓ６２０）。記録を続けるときは（Ｓ６１７）、ランニングＯＰＣを実施し（Ｓ６１８）、次の記録データを取得し（Ｓ６１９）、（Ｓ６１６）に戻り記録処理を続ける。
【００８２】
（実施の形態３）
図７は、本発明の実施の形態３に係わる記録動作のフローチャートである。
【００８３】
書換型光ディスク１１が光ディスク装置１に装着され記録動作が開始されると（Ｓ７０１）、光ディスクの試書き領域でＯＰＣと呼ぶ最適記録パワーを求め（Ｓ７０２）、最適パワーか否かを判断し（Ｓ７０３）、最適パワー出なければパワーの設定値を変更し（Ｓ７０４）、（Ｓ７０２）に戻り最適パワーを求める。
【００８４】
最適パワーが求まると、光ディスク１１の種別を判別し（Ｓ７０５）、光ディスク１１が、複数の記録層を有する多層光ディスクかどうか判別し（Ｓ７０６）、多層光ディスクと判別したら、記録するデータ領域がピックアップより離れた上位の記録層であるかどうか判別し（Ｓ７０７）、上位の記録層であれば、記録する位置を取得し（Ｓ７０８）、記録する位置が管理領域のみを消去した簡易消去した領域かどうかを判定し（Ｓ７０９）する。
【００８５】
簡易消去した領域に記録するときは、所定量のデータを記録し（Ｓ７１０）、記録したデータをベリファイ処理し（Ｓ７１１）、ベリファイエラーがあるかどうか判別し（Ｓ７１２）、ベリファイエラーがあれば、記録したデータ領域の消去処理を行い（Ｓ７１３）、同じデータを記録し（Ｓ７１０）、処理を続ける。
【００８６】
ベリファイエラーがなければ、データ記録処理を終了するかどうか判別し（Ｓ７１４）、記録処理を終了するときは記録処理終了処理を行う（Ｓ７２１）。
【００８７】
記録処理を続けるときは、ランニングＯＰＣをし（Ｓ７１５）、次の記録データを取得し（Ｓ７１６）、（Ｓ７１０）に戻り処理を続ける。
【００８８】
光ディスク１１が多層光ディスクでないか、記録層が所定の記録層より上位層でないかまたは記録する領域が簡易消去でなく全消去した領域であると判別すると（Ｓ７０９）、記録処理を行い（Ｓ７１７）、記録処理を終了するかどうか判別し（Ｓ７１８）、記録を終了するときは記録終了処理を行う（Ｓ７２１）。記録を続けるときは（Ｓ７１８）、ランニングＯＰＣを実施し（Ｓ７１９）、次の記録データを取得し（Ｓ７２０）、（Ｓ７１７）に戻り記録処理を続ける。
【産業上の利用可能性】
【００８９】
本発明にかかる光ディスク装置及びその記録方法は、光ディスクのデータ記録領域において簡易消去を行った領域に所定の記録データを上書き記録を行った後、記録データを再生し記録データと再生データとを比較してエラーがあるとき、所定の記録領域の記録データを完全に消去し再度前記所定の記録領域に同一の記録データを記録させるので、特に記録品質を優先して記録する光ディスク装置およびその回転制御方法として有用である。
【図面の簡単な説明】
【００９０】
【図１】本発明の実施の形態１に係わる光ディスク装置の斜視図
【図２】本発明の実施の形態１における光ディスク装置の外観図
【図３】本発明の実施の形態１に係わる光ディスク装置のブロック図
【図４】本発明の実施の形態１に係わる光ディスクへ情報を記録する記録パルスパターンに関する説明図
【図５】本発明の実施の形態１に係わる記録動作のフローチャート
【図６】本発明の実施の形態２に係わる記録動作のフローチャート
【図７】本発明の実施の形態３に係わる記録動作のフローチャート
【図８】従来の光ディスクにおける記録動作のフローチャート
【符号の説明】
【００９１】
１    光ディスク装置
２    筐体
３    トレイ
４    ピックアップモジュール
４ａ    スピンドルモータ
４ｂ    光ディスク装着部
４ｃ    回路基板
５    光ピックアップ
６    レール部
７    レール
８    レールガイド
９    回路基板
１１    光ディスク
１３    サーボモジュール
１４    ＣＰＵ
１５    記録制御手段
１６    データ比較手段
１７    エラー検出手段
１８    ベリファイ手段
１９    ディスク判別手段
２０    全消去手段
２１    記憶手段
【図１】
2008112488.tif 000003
【図２】
2008112488.tif 000004
【図３】
2008112488.tif 000005
【図４】
2008112488.tif 000006
【図５】
2008112488.tif 000007
【図６】
2008112488.tif 000008
【図７】
2008112488.tif 000009
【図８】
2008112488.tif 000010